(57)【要約】【課題】視力の低下した患者にとって、センサ部の装着は困難であった。【解決手段】円形状のセンサ部１４と、このセンサ部１４が装着部１２ａと着脱自在に嵌合するとともにセンサ部１４に接続される電気回路部３１が内蔵された本体部１２とから成り、センサ部１４は、センサ１５に設けられた複数個の検出電極２５〜２９と、これ等の検出電極２５〜２９から夫々導出された複数個の電極端子２５ｂ〜２９ｂを有するとともに、本体部１２には電極端子２５ｂ〜２９ｂと夫々接続されるコネクタ１３（１３ａ〜１３ｅ）を備え、少なくとも一方の電極端子２５ｂ〜２９ｂ或いはコネクタ１３（１３ａ〜１３ｅ）は、同心円状或いは筒体形状に形成されたものである。これにより、所期の目的を達成することができる。【選択図】図１
2009031118.tif 000002
【特許請求の範囲】
【請求項１】
円形状のセンサ部と、このセンサ部と着脱自在に嵌合するとともに前記センサ部に接続される電気回路部が内蔵された本体部とから成り、前記センサ部は、血液センサに設けられた複数個の検出電極と、これ等の検出電極から夫々導出された複数個の電極端子を有するとともに、前記本体部には前記電極端子と夫々接続されるコネクタを備え、少なくとも一方の前記電極端子或いは前記コネクタは、同心円状或いは筒体形状に形成された血液検査装置。
【請求項２】
センサ部は、血液センサとこの血液センサが装着されたホルダとから成り、本体部には前記ホルダが着脱自在に挿抜される円筒状の装着部が設けられた請求項１に記載の血液検査装置。
【請求項３】
装着部にはリング状のコネクタが設けられるとともに、ホルダには前記コネクタと当接する位置に電極端子が設けられた請求項２に記載の血液検査装置。
【請求項４】
装着部とホルダには夫々位置決め部が設けられた請求項２に記載の血液検査装置。
【請求項５】
装着部の先端には同心円状のコネクタが設けられた請求項２に記載の血液検査装置。
【請求項６】
血液センサの一方の面には同心円状の電極端子が設けられた請求項２に記載の血液検査装置。
【請求項７】
電極端子と同形状の検知電極を設け、この検知電極により、センサ部の装着を検知する請求項２に記載の血液検査装置。
【請求項８】
本体部には、穿刺手段を設けるとともに、この穿刺手段は血液センサを貫通して穿刺する請求項２に記載の血液検査装置。
【請求項９】
本体部には、電気回路部に接続された負圧手段を設けるとともに、この負圧手段でホルダ内に負圧を加える請求項８に記載の血液検査装置。
【発明の詳細な説明】
【技術分野】
【０００１】
本発明は、血糖値等を測定する血液検査装置に関するものである。
【背景技術】
【０００２】
糖尿病患者は、定期的に血糖値を測定し、この測定した血糖値に基づいてインスリンを注射し、血糖値を正常に保つ必要がある。この血糖値を正常に保つため、血糖値を常時測定する必要があり、そのために血液検査装置を用いて患者の指先等から少量の血液を採取し、この採取した血液から血糖値を測定する。
【０００３】
以下、従来の血液検査装置について説明する。従来の血液検査装置１は、図１８に示すように、一方に装着部２ａが形成された本体部２と、装着部２ａへ着脱自在に装着されるセンサ部３とで構成されていた。センサ部３はホルダ３ａと、このホルダ３ａ内に装着された血液センサ（以後、センサという）３ｂとで構成されていた。センサ３ｂには複数の検出電極３ｃ（図示せず）が形成されており、これらの検出電極３ｃは夫々電極端子３ｄへ導出されている。センサ部３を装着部２ａに挿入することにより、これらの電極端子３ｄは装着部２ａの先端に設けられた複数個のコネクタ２ｃに夫々接続される。このコネクタ２ｃの信号は、本体部２内に設けられた電気回路部４に接続されている。
【０００４】
また、この本体部２内には、センサ３ｂに対向して設けられたレーザ発射装置５と、このレーザ発射装置５及び電気回路部４に電力を供給する電池６が収納されている。ここで、センサ部３が本体部２から着脱自在に設けられている理由は、穿刺の度にセンサ３ｂを取り替えなければならないことによる。
【０００５】
また、複数個ある検出電極３ｃの信号は、夫々対応させて電気回路部４へ導くため、装着部２ａの外形とセンサ部３の外形とを非対称形にしておく必要がある。そのため例えば、図１９（ａ）に示すように装着部２ａには凸部２ｄを形成し、ホルダ３ａには図１９（ｂ）に示すように、凹部３ｅを形成し、凸部２ｄを凹部３ｅと嵌合させ、その後挿入する必要がある。
【０００６】
以上のように構成された血液検査装置１の動作について以下説明する。患者は、先ず新しいセンサ部３を本体部２に装着する。この場合、装着部２ａに形成された凸部２ｄへホルダ３ａに形成された凹部３ｅを回転させながら合わせて、その後センサ部３を本体部２へ挿入する。
【０００７】
次に、図２０に示すように、血液検査装置１を例えば右手に持って、左手の皮膚７に当接させる。そして、図１８に示す穿刺ボタン５ｂを押下する。すると、レーザ発射装置５からレーザ光５ａが発射される。このレーザ光５ａは皮膚７を穿刺する。この穿刺により、皮膚７から血液８が滲出する。この血液８はセンサ３ｂに設けられた貯留部に一時蓄えられる。この貯留部に蓄えられた血液８は、検出電極３ｃで検出されて、本体部２内に設けられた電気回路部４で血糖値が測定される。
【０００８】
なお、この出願の発明に関連する先行技術文献情報としては、例えば、特許文献１が知られている。
【特許文献１】特表２００３−５２４４９６号公報
【発明の開示】
【発明が解決しようとする課題】
【０００９】
しかしながらこのような従来の従来の血液検査装置１では、穿刺の度に、装着部２ａに形成された凸部２ｄへ、ホルダ３ａに形成された凹部３ｅを回転させながら嵌合させなければならない。この嵌合のために最大３６０度回転させる必要がある。このようにして嵌合させた後、センサ部３を挿入しなければならない。
【００１０】
このように、凸部２ｄと凹部３ｅを嵌合させ、その後挿入させる作業は、健常者でも煩わしいものである。まして糖尿病等で視力の低下した患者においては尚更困難な作業となる。
【００１１】
そこで本発明は、このような問題を解決したもので、容易にセンサ部を挿入することができる血液検査装置を提供することを目的としたものである。
【課題を解決するための手段】
【００１２】
この目的を達成するために本発明の血液検査装置は、少なくとも一方の電極端子或いはコネクタは、同心円状或いは筒体形状に形成されたものである。これにより、初期の目的を達成することができる。
【発明の効果】
【００１３】
以上のように本発明によれば、少なくとも一方の電極端子或いはコネクタは、同心円状或いは筒体形状に形成されたものであり、同心円状或いは筒体形状に形成されていので、センサ部の挿入方向が３６０度のどの方向からの挿入であっても、そのままの角度で押圧するのみで、電極端子は夫々対応するコネクタと接続されることになり、挿入が非常に容易なものとなる。
【００１４】
即ち、従来のように例えば凸部と凹部の位置合わせを、最大３６０度回転させて合わせる必要はなく、容易にセンサ部を本体部に装着することができる。
【００１５】
また、電極端子の識別のみを目的とした電極端子も不要となり、小型化と低価格化を図ることができる。
【発明を実施するための最良の形態】
【００１６】
（実施の形態１）
図１は、実施の形態１における血液検査装置１１の斜視図である。図１において、１２は血液検査装置１１の本体部であり、この本体部１２の一方には円筒形状の装着部１２ａが設けられている。そして、この装着部１２ａの表面には複数のコネクタ１３が設けられている。このコネクタ１３はリング状に形成されている。３４は、本体部１２の表面に設けられた表示部である。
【００１７】
１４は、円形状をしたセンサ部であり、装着部１２ａへ着脱自在に装着されるものである。このセンサ部１４は図２に示すように、ホルダ１４ａとこのホルダ１４ａ内に装着された血液センサ（以下、センサという）１５とで構成されている。
【００１８】
ホルダ１４ａは、断面が椀形状をしており、上部１４ｂの内側には電極端子２５ｂ〜２９ｂが一列に形成されている。この電極端子２５ｂ〜２９ｂは、装着部１２ａに形成されたコネクタ１３（１３ａ〜１３ｅ）に夫々当接する。コネクタ１３からは本体部１２内に設けられた電気回路部３１（図７参照）に接続されている。上部１４ｂの上端近傍には位置決め凹部１４ｃが形成されており、この位置決め凹部１４ｃは、装着部１２ａに形成された位置決め凸部１２ｃと嵌合して位置決めされる。従って、予め定められた一定深さの穿刺をすることができるとともに、装着部１２ａ内を密閉して負圧が逃れないようにしている。
【００１９】
下部１４ｄは、上部１４ｂより小さな径となっており、第１のセンサ部１４の上部１４ｂ内へ、第２のセンサ部１４の下部１４ｄが挿入可能になっている。従って、センサ部１４は積層することができ、小スペースでの収納が可能となる。
【００２０】
上部１４ｂは上方に向かって開いた傾斜を有しており、装着部１２ａのコネクタ１３が形成された当接部１９は下方に向かって狭まった傾斜を有している。この傾斜角度は共に略１５度としており、センサ部１４の挿抜と電極の当接を容易にしている。
【００２１】
ホルダ１４ａの下部１４ｄは下方に向かって開口しており、この開口は負圧室３３ａを形成している。下部１４ｄの下端には皮膚検知センサ３３ｂが設けられている。
【００２２】
図３は、当接部１９近傍の回路図である。図２、図３に示すように、皮膚検知センサ３３ｂの信号は、電極端子１４ｇに接続されている。この電極端子１４ｇは電極端子２５ｂ〜２９ｂの延長上に設けられている。電極端子１４ｇはコネクタ１３ｇを介して電気回路部３１に接続されている。
【００２３】
１４ｆは、ホルダ１４ａに形成されたセンサ部１４検出用の電極端子であり、２つの電極端子１４ｆが短絡されている。この電極端子１４ｆは対応する２つのコネクタ１３ｆを介して電気回路部３１に接続されている。このコネクタ１３ｆ間の短絡を検知することにより、センサ部１４が挿入されているか否かを検出する。この電極端子１４ｆも電極端子２５ｂ〜２９ｂの延長上に設けられている。この２つの電極端子１４ｆの内の１つは電極端子２５ｂ〜２９ｂの何れかの１つと共用化することも可能である。
【００２４】
なお、この電極端子１４ｆは、ホルダ１４ａの最も上端側に位置するコネクタ１３に設けておくことが望ましい。これは、センサ部１４が確実に奥まで挿入されたことを検出するための重要な配慮である。
【００２５】
図４は、ホルダ１４ａに装着されるセンサ１５の断面図である。このセンサ１５は、基板１６と、この基板１６の上面に貼り合わされたスペーサ１７と、このスペーサ１７の上面に貼り合わされたカバー１８とで構成されている。
【００２６】
２０は、血液８（図２０参照）の貯留部であり、この貯留部２０は、基板１６の略中央に形成された基板孔１６ａと、この基板孔１６ａに対応してスペーサ１７に形成されたスペーサ孔１７ａと、基板孔１６ａに対応してカバー１８に形成されたカバー孔１８ａとが連通して形成されている。
【００２７】
２１は、この貯留部２０に一方の端が連結された血液８の供給路であり、貯留部２０に溜められた血液８を毛細管現象で一気に検出部２２へ導く路である。また、この供給路２１の他方の端は空気孔２３に連結している。貯留部２０の容積は０．９０４μＬであり、供給路２１の容積は０．１２８μＬとしている。このように少量の血液８で検査可能とし、患者への負担を軽減している。
【００２８】
２４は、検出部２２上に載置された試薬である。この試薬２４は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して融解させて試薬溶液を調整し、これを基板１６に形成された検出電極２５，２７（図５参照）上に滴下し、乾燥させることで形成したものである。
【００２９】
ここで、基板１６の上面には金、白金、パラジウム等を材料として、スパッタリング法或いは蒸着法により導電層を形成し、これをレーザ加工により検出電極２５〜２９と、この検出電極２５〜２９から夫々導出された接続電極２５ａ〜２９ａが一体的に形成されている。
【００３０】
また、基板１６、スペーサ１７、カバー１８の材質は共にポリエチレンテレフタート（ＰＥＴ）を用いている。材料の共用化を図ることにより、管理コストの低減を図っている。
図５は、円形状をしたセンサ１５の透視平面図であり、検出電極２５〜２９からは夫々接続電極２５ａ〜２９ａが導出されている。
【００３１】
２０は、センサ１５の略中央に設けられた血液８の貯留部であり、この貯留部２０に一方の端が接続された供給路２１が検出電極２６に向かって設けられている。そして、この供給路２１の他方の端は空気孔２３に連結している。この供給路２１上には、貯留部２０から順次接続電極２８ａに接続された検出電極２８と、接続電極２９ａに接続された検出電極２９と、再度接続電極２８ａに接続された検出電極２８と、接続電極２７ａに接続された検出電極２７と、接続電極２５ａに接続された検出電極２５と、再度接続電極２７ａに接続された検出電極２７と、接続電極２６ａに接続された検出電極２６が設けられている。また、検出電極２５，２７上には、試薬２４（図４参照）が載置される。
【００３２】
以上のように構成されたセンサ１５の接続電極２５ａ〜２９ａは、図２、図３に示すようにセンサ部１４に形成された電極端子２５ｂ〜２９ｂへ導出されている。
【００３３】
図６は、電気回路部３１とその近傍のブロック図である。図６において、センサ１５の接続電極２５ａ〜２９ａ（図５参照）は、電極端子２５ｂ〜２９ｂ（図３参照）とコネクタ１３ａ〜１３ｅを介して切換回路３１ａに接続されている。この切換回路３１ａの出力は、電流／電圧変換器３１ｂの入力に接続されている。そして、その出力はアナログ／デジタル変換器（以後、Ａ／Ｄ変換器という）３１ｃを介して演算部３１ｄの入力に接続されている。この演算部３１ｄの出力は、液晶で形成された表示部３４と送信部３１ｅに接続されている。また、切換回路３１ａには基準電圧源３１ｆが接続されている。なお、この基準電圧源３１ｆはグランド電位であっても良い。
【００３４】
３１ｇは制御部であり、この制御部３１ｇの出力は、レーザ発射装置３２に接続された高電圧発生回路３１ｈと、切換回路３１ａの制御端子と、演算部３１ｄと、送信部３１ｅと、負圧手段３３に接続されている。また、制御部３１ｇの入力には、センサ部１４の挿入を検知する検知コネクタ１３ｆ（図３参照）と、レーザ発射装置３２でレーザ光３２ｈを発射させる穿刺ボタン３２ｊと、皮膚検知センサ３３ｂと、タイマ３１ｋとが接続されている。
【００３５】
以下、電気回路部３１の動作を説明する。先ず、穿刺ボタン３２ｊを押下して、レーザ発射装置３２で皮膚７（図２０参照）を穿刺する。そして、穿刺により滲出した血液８の性質を測定する。測定動作では、切換回路３１ａを切換えて、検出電極２５（図５参照）を電流／電圧変換器３１ｂに接続する。また、血液８流入を検知するための検知極となる検出電極２６を基準電圧源３１ｆに接続する。そして、検出電極２５及び検出電極２６間に一定の電圧を印加する。この状態において、血液８が流入すると、検出電極２５，２６間に電流が流れる。この電流は、電流／電圧変換器３１ｂによって電圧に変換され、その電圧値はＡ／Ｄ変換器３１ｃによってデジタル値に変換される。そして、演算部３１ｄに向かって出力される。演算部３１ｄはそのデジタル値に基づいて血液８が十分に流入したことを検出する。なお、この時点で負圧手段３３の動作をオフにする。
【００３６】
次に、血液成分であるグルコースの測定が行なわれる。グルコース成分量の測定は、先ず、制御部３１ｇの指令により、切換回路３１ａを切換えて、グルコース成分量の測定のための作用極となる検出電極２５を電流／電圧変換器３１ｂに接続する。また、グルコース成分量の測定のための対極となる検出電極２７を基準電圧源３１ｆに接続する。
【００３７】
なお、血液中のグルコースとその酸化還元酵素とを一定時間反応させる間は、電流／電圧変換器３１ｂ及び基準電圧源３１ｆをオフにしておく。そして、一定時間（１〜１０秒）の経過後に、制御部３１ｇの指令により、検出電極２５と２７間に一定の電圧（０．２〜０．５Ｖ）を印加する。そうすると、検出電極２５，２７間に電流が流れる。この電流は電流／電圧変換器３１ｂによって電圧に変換され、その電圧値はＡ／Ｄ変換器３１ｃによってデジタル値に変換される。そして、演算部３１ｄに向かって出力される。演算部３１ｄではそのデジタル値を基にグルコース成分量に換算する。
【００３８】
グルコース成分量の測定後、Ｈｃｔ値の測定が行なわれる。Ｈｃｔ値の測定は次のように行なわれる。先ず、制御部３１ｇからの指令により切換回路３１ａを切換える。そして、Ｈｃｔ値の測定のための作用極となる検出電極２９を電流／電圧変換器３１ｂに接続する。また、Ｈｃｔ値の測定のための対極となる検出電極２５を基準電圧源３１ｆに接続する。
次に、制御部３１ｇの指令により、電流／電圧変換器３１ｂ及び基準電圧源３１ｆから検出電極２９と２５間に一定の電圧（２Ｖ〜３Ｖ）を印加する。検出電極２９と２５間に流れる電流は、電流／電圧変換器３１ｂによって電圧に変換され、その電圧値はＡ／Ｄ変換器３１ｃによってデジタル値に変換される。そして演算部３１ｄに向かって出力される。演算部３１ｄはそのデジタル値に基づいてＨｃｔ値に換算する。
【００３９】
この測定で得られたＨｃｔ値とグルコース成分量を用い、予め求めておいた検量線または検量線テーブルを参照して、グルコース成分量をＨｃｔ値で補正し、その補正された結果を表示部３４に表示する。また、検量線または検量線テーブルで補正された結果を送信部３１ｅからインスリンを注射する注射装置に向けて送信する。この送信は電波を用いることもできるが、医療器具への妨害のない光通信で送信することが好ましい。
【００４０】
このように補正された測定データを送信部３１ｅから送信することにより、インスリンの投与量が注射装置に自動的に設定されるようにすれば、患者が投与するインスリンの量を注射装置に設定する必要は無く、設定の煩わしさは無くなる。また、人為手段を介さずにインスリンの量を注射装置に設定することができるので、設定のミスを防止することができる。
【００４１】
以上、グルコースの測定を例に説明したが、センサ１５の試薬２４を交換して、グルコースの測定の他に乳酸値やコレステロールの血液成分の測定にも適用できる。
【００４２】
図７は、血液検査装置１１の断面図である。血液検査装置１１は、樹脂で形成された本体部１２と、この本体部１２の一方に形成された装着部１２ａと、この装着部１２ａに着脱自在に装着される円形状のセンサ部１４とで構成されている。
【００４３】
本体部１２内には、センサ部１４に対向して設けられたレーザ発射装置（穿刺手段の一例として用いた）３２と、このレーザ発射装置３２に接続された電気回路部３１と、センサ部１４に形成された負圧室３３ａに負圧を供給する負圧手段３３と、これらに電源を供給する電池３６とが収納されている。３２ｊはレーザ発射装置３２からレーザ光３２ｈを発射させる穿刺ボタンである。この穿刺ボタン３２ｊと表示部３４（図１参照）は、本体部１２の表面に装着されている。
【００４４】
レーザ発射装置３２は、発振チューブ３２ａと、この発振チューブ３２ａに連結された筒体３２ｂとで構成されている。発振チューブ３２ａ内には、Ｅｒ：ＹＡＧ（イットリウム・アルミニウム・ガーネット）レーザ結晶３２ｃとフラッシュ光源３２ｄ（光源の一例）が格納されている。発振チューブ３２ａの一方の端には透過率約１％の部分透過鏡３２ｅが装着されており、他方の端には全反射鏡３２ｆが装着されている。部分透過鏡３２ｅの前方の筒体３２ｂ内には凸レンズ３２ｇが装着されており、レーザ光３２ｈで患者の皮膚下に焦点を結ぶように設定されている。
【００４５】
以上のように構成されたレーザ発射装置３２について、以下にその動作を説明する。穿刺ボタン３２ｊを押下する。そうすると、高電圧発生回路３１ｈ（図６参照）が駆動され、フラッシュ光源３２ｄが励起する。このフラッシュ光源３２ｄが励起することにより放射される放射光は、Ｅｒ：ＹＡＧレーザ結晶３２ｃ内に入り、ここで、全反射鏡３２ｆとＹＡＧレーザ結晶３２ｃと部分透過鏡３２ｅの間を反射して共振するとともに増幅される。この増幅されたレーザ光の一部は誘導放出により部分透過鏡３２ｅを通過する。この部分透過鏡３２ｅを通過したレーザ光３２ｈはレンズ３２ｇを透過して放射され、皮膚７下で焦点を結ぶ。穿刺する際の焦点の深さは、皮膚７から０．１ｍｍ〜１．５ｍｍが適しており、本実施の形態では０．５ｍｍとしている。
【００４６】
本実施の形態では、患者の皮膚７へ非接触で穿刺できるレーザ発射装置３２を用いているので、衛生的である。また、可動部品は無く故障は少なくなる。更に、血液検査装置１１全体を容易に防水構造とすることができ、全体を丸洗いすることも可能となる。なお、このレーザ光３２ｈでの穿刺電圧は、約３００Ｖとしている。従って、患者に与える苦痛は少ない。なお、本実施の形態では、穿刺手段としてレーザ発射装置３２を用いたが、これはレーザ発射装置３２に限ることはなく、穿刺針で穿刺する針穿刺装置を用いても良い。この針穿刺装置を用いれば穿刺時に電力を消費しないので、電池３６を長持ちさせることができる。
【００４７】
次に、図８を用いて血液検査装置１１を用いての検査方法を説明する。先ずステップ４１では、センサ部１４を装着部１２ａに装着する。このセンサ部１４の装着は、コネクタ１３がリング状に形成されているので、３６０度どの方向から押圧挿入しても良い。この装着はコネクタ１３ｆ（図３参照）の信号で検出する。センサ部１４が装着されたら、ステップ４２に移行する。ステップ４２では、血液検査装置１１を患者の皮膚７に当接させる。この皮膚７への当接は皮膚検知センサ３３ｂの出力で行う。皮膚７への当接が確認されたらステップ４３に移行し、タイマ３１ｋをスタートさせるとともに負圧手段３３を動作させて負圧室３３ａ内に負圧を加える。負圧を加えることにより皮膚７は盛り上がる。
負圧手段３３の動作に伴う電流の変化、或いはタイマ３１ｋにより予め定められた時間が経過すると、貯留部２０内の皮膚７が負圧により十分盛り上がったと判断し、ステップ４４に移行する。ステップ４４では、表示部３４に穿刺可である旨の表示をする。そして、ステップ４５に移行し、穿刺ボタン３２ｊの押下を待つ。穿刺ボタン３２ｊが押下されるとレーザ発射装置３２からレーザ光３２ｈが放射される。このレーザ光３２ｈはセンサ１５の貯留部２０を貫通して皮膚７を穿刺する。
【００４８】
そして、ステップ４６に移行する。ステップ４６では、皮膚７の穿刺により、滲出した血液８がセンサ１５の貯留部２０に取り込まれる。この貯留部２０に取り込まれた血液８は、供給路２１による毛細管現象により一気に（定まった流速で）検出部２２（図４、図５参照）に取り込まれる。また、このステップ４６では、ステップ４４で行った表示をオフするとともに負圧もオフする。そして、ステップ４７へ移行する。ステップ４７では、血液８の血糖値が測定される。なお、この血糖値の測定に付いては、図６の説明を参照する。
【００４９】
ステップ４７で血糖値が測定されたら、ステップ４８に移行し、測定した血糖値を表示部３４に表示するとともにメモリに格納する。なお、負圧手段３３のオフは、血液８が検出電極２６へ到達した時点でオフにする。
【００５０】
以上、説明したように、ステップ４１におけるセンサ部１４の装着は、コネクタ１３がリング状に形成されているので、３６０度どの方向から押圧挿入しても良い。従って、位置合わせ等は不要となり、センサ部１４の装着は著しく容易となる。
【００５１】
また、ステップ４５で穿刺ボタン３２ｊを押下するとレーザ光３２ｈは、貯留部２０を貫通して穿刺するので、滲出した血液８は全て貯留部２０に溜まり血液検査に用いられる。従って、滲出した血液８が無駄なく用いられ患者にかける負担は最小のものとなる。
【００５２】
（実施の形態２）
実施の形態２は、血液検査装置５１の先端に同心円状のコネクタ５２（５２ａ〜５２ｅ）を設けたものである。なお、実施の形態１と同じものには同一番号を付して説明を簡略化している。以下の実施の形態においても同様とする。
【００５３】
図９は、実施の形態２における血液検査装置５１の要部断面図である。図９において、５３ａは装着部（実施の形態１における装着部１２ａに該当）であり、この装着部５３ａの先端にはコネクタ５２（実施の形態１におけるコネクタ１３に該当）が同心円状に形成されている。そして、このコネクタ５２は、電気回路部３１に接続されている。
【００５４】
５４は、センサ部（実施の形態１におけるセンサ部１４に該当）であり、このセンサ部５４内には、センサ５５（実施の形態１におけるセンサ１５に該当）が装着されている。そして、このセンサ部５４は、装着部５３ａへ着脱自在に挿抜される。５３ｃは、装着部５３ａに設けられた位置決め凸部（実施の形態１における位置決め凸部１２ｃに該当）であり、図示していないが実施の形態１と同様にセンサ部５４を形成するホルダ５４ａにも位置決め凹部が形成されており、この位置決め凹部と嵌合して位置決めされる。
【００５５】
センサ５５の上面には、接続電極２５ａ〜２９ａ（図１１参照）から夫々導出された電極端子５６ｂ〜６０ｂ（実施の形態１における電極端子２５ｂ〜２９ｂに該当）が一列に並んで形成されており、センサ部５４を装着部５３ａに装着することにより、この電極端子５６ｂ〜６０ｂはコネクタ５２（５２ａ〜５２ｅ）と当接して接続される。なお、図示していないが、実施の形態１と同様に皮膚検知センサ３３ｂの信号とセンサ部５４の装着検知信号も電極端子に導かれ、コネクタ５２を介して電気回路部３１に接続されている。図１０は、装着部５３ａとセンサ部５４の斜視図である。
【００５６】
図１１は、センサ５５の透視平面図であり、基板１６（図１２参照）に設けられた接続電極２５ａ〜２９ａから導線５６ｃ〜６０ｃで同一箇所に直線状に集められている。そして、この直線状に集められた位置から図１２に示すように、ビアホール５６ｄ〜６０ｄを介してセンサ１５のカバー１８表面に導出されて電極端子５６ｂ〜６０ｂに接続されている。
【００５７】
以上のように、本実施の形態では、電極端子５６ｂ〜６０ｂが同心円状に形成されているので、センサ部５４を３６０度どの方向から挿入してもセンサ５５に形成された接続電極２５ａ〜２９ａの信号を夫々対応するコネクタ５２（５２ａ〜５２ｅ）を介して電気回路部３１に導くことができる。従って、患者は、センサ部５４の方向性を何ら考慮することなくそのまま押圧挿入することができる。
【００５８】
（実施の形態３）
実施の形態３は、センサ６２（実施の形態１におけるセンサ１５に該当）の表面に同心円状の電極端子６３ｂ〜６７ｂ（実施の形態１における電極端子２５ｂ〜２９ｂに該当）を設けたものである。
【００５９】
図１３は、実施の形態３におけるセンサ６２の透視平面図である。このセンサ６２は、基板１６（図４，図５参照）に設けられた接続電極２５ａ〜２９ａからビアホール６３ｃ〜６７ｃを介してカバー１８の表面へ導出する。そして、このカバー１８の表面に設けられた同心円状の電極端子６３ｂ〜６７ｂに夫々接続したものである。図１４はセンサ６２の断面図であり、図１５はこのセンサ６２が内蔵されたセンサ部６８（実施の形態１におけるセンサ部１４に該当）の断面図である。
【００６０】
図１６は、センサ部６８と、このセンサ部６８を用いる血液検査装置６１の装着部７０ａの断面図である。装着部７０ａの先端にはコネクタ７１（７１ａ〜７１ｅ）（実施の形態１におけるコネクタ１３に該当）が一列に設けられている。図１７は、装着部７０ａとセンサ部６８の斜視図である。コネクタ７１は、電気回路部３１に接続されている。また、この装着部７０ａにはセンサ部６８が着脱自在に挿抜される。
【００６１】
７０ｃは、装着部７０ａに設けられた位置決め凸部（実施の形態１における位置決め凸部１２ｃに該当）であり、図示していないが実施の形態１と同様にセンサ部６８を形成するホルダ６８ａに形成された位置決め凹部と嵌合して位置決めされる。センサ部６８を装着部７０ａに装着すると、このセンサ６２に設けられた電極端子６３ｂ〜６７ｂはコネクタ７１（７１ａ〜７１ｅ）に当接して接続される。なお、図示していないが、実施の形態１と同様に皮膚検知センサ３３ｂの信号とセンサ部６８の装着検知信号も電極端子に導かれ、コネクタ７１を介して電気回路部３１に接続されている。図１７は、装着部７０ａとセンサ部６８の斜視図である。
【産業上の利用可能性】
【００６２】
本発明にかかる血液検査装置は、センサ部の装着が容易であるので、血液検査装置等として有用である。
【図面の簡単な説明】
【００６３】
【図１】本発明の実施の形態１における血液検査装置の斜視図
【図２】同、要部断面図
【図３】同、要部回路図
【図４】同、血液検査装置に用いるセンサの断面図
【図５】同、透視平面図
【図６】同、血液検査装置の電気回路部とその近傍のブロック図
【図７】同、血液検査装置の断面図
【図８】同、検査フローチャート
【図９】同、実施の形態２における血液検査装置の要部断面図
【図１０】同、要部斜視図
【図１１】同、血液検査装置に用いるセンサの透視平面図
【図１２】同、断面図
【図１３】同、実施の形態３における血液検査装置に用いるセンサの透視平面図
【図１４】同、断面図
【図１５】同、センサ部の断面図
【図１６】同、血液検査装置の要部断面図
【図１７】同、斜視図
【図１８】従来の血液検査装置の断面図
【図１９】同、要部断面図、（ａ）は同、血液検査装置を構成する装着部の断面図、（ｂ）は同、センサ部を構成するホルダの断面図
【図２０】同、使用状態の説明図
【符号の説明】
【００６４】
１１    血液検査装置
１２    本体部
１２ａ    装着部
１３ａ    コネクタ
１３ｂ    コネクタ
１３ｃ    コネクタ
１３ｄ    コネクタ
１３ｅ    コネクタ
１４    センサ部
１５    センサ
２５    検出電極
２６    検出電極
２７    検出電極
２８    検出電極
２９    検出電極
２５ｂ    電極端子
２６ｂ    電極端子
２７ｂ    電極端子
２８ｂ    電極端子
２９ｂ    電極端子
３１    電気回路部
【図１】
2009031118.tif 000003
【図２】
2009031118.tif 000004
【図３】
2009031118.tif 000005
【図４】
2009031118.tif 000006
【図５】
2009031118.tif 000007
【図６】
2009031118.tif 000008
【図７】
2009031118.tif 000009
【図８】
2009031118.tif 000010
【図９】
2009031118.tif 000011
【図１０】
2009031118.tif 000012
【図１１】
2009031118.tif 000013
【図１２】
2009031118.tif 000014
【図１３】
2009031118.tif 000015
【図１４】
2009031118.tif 000016
【図１５】
2009031118.tif 000017
【図１６】
2009031118.tif 000018
【図１７】
2009031118.tif 000019
【図１８】
2009031118.tif 000020
【図１９】
2009031118.tif 000021
【図２０】
2009031118.tif 000022